(57)【要約】【課題】正規の手順で扉を開放しないと扉の開放が物理的に困難になり、不正な扉開放を防止することができる遊技機を提供する。【解決手段】前扉３の裏面側及び筐体１内部に、凹部６１を有する本体６０と、凹部６１の周囲に当接可能な吸着面７６を有する蓋体７０を設け、前扉３を完全に閉じると凹部６１の内圧が外圧よりも低くなるように形成し、凹部６１の内圧を外圧と均衡させるための妨害解除操作手段を設け、妨害解除操作手段が操作されずに前扉３が開放操作された場合には、本体６０と蓋体７０との吸着力により前扉３の開放作動が妨害され、妨害解除操作手段が操作された場合には、本体６０と蓋体７０の間の吸着力が消滅もしくは軽減され、前扉３の開放妨害状態が解除される。    【選択図】図３
2009095582.tif 000002
【特許請求の範囲】
【請求項１】
正面側が開口する筐体と、前記筐体の正面開口を閉塞可能かつ開閉自在な前扉とを少なくとも備える遊技機において、
前記前扉の裏面側及び前記筐体内部に、凹部を有する本体と、前記凹部の周囲に当接可能な吸着面を有する蓋体とを少なくとも備える不正開放妨害装置を設け、
前記本体及び前記蓋体は、前記前扉を閉じると前記凹部の周囲と前記吸着面とが当接し、かつ前記前扉を完全に閉じたときに前記吸着面が前記凹部の周囲を押圧して前記凹部を密閉可能とする位置に配置されるとともに、前記前扉が完全閉塞した場合に、前記凹部の内圧が外圧よりも低くなるように形成され、
前記凹部の内圧を外圧と均衡させるための妨害解除操作手段を設け、
前記妨害解除操作手段が操作されずに前記前扉が開放操作された場合には、前記本体と前記蓋体との吸着力により、前記前扉の開放作動が妨害され、
前記妨害解除操作手段の操作後に前記前扉が開放操作された場合には、前記本体と前記蓋体の間の吸着力が消滅もしくは軽減され、前記前扉の開放妨害状態が解除されることを特徴とする遊技機。
【請求項２】
前記不正開放妨害装置は、前記蓋体により閉塞された前記凹部に空気を吐出可能な空気圧変更装置をさらに備え、
前記妨害解除操作手段は、前記空気圧変更装置を吐出作動させるものであり、
前記妨害解除操作手段が操作された場合には、前記空気圧変更装置が前記凹部に空気を吐出して前記本体と前記蓋体の間の吸着力が消滅もしくは軽減され、前記前扉の開放妨害状態が解除されることを特徴とする請求項１記載の遊技機。
【請求項３】
前記不正開放妨害装置は、前記蓋体により閉塞された前記凹部に空気を吐出可能でありかつ前記凹部内の空気を吸引可能な空気圧変更装置を備え、
前記空気圧変更装置を吸引作動させるための妨害設定操作手段をさらに備え、
前記妨害解除操作手段は、前記空気圧変更装置を吐出作動させるものであり、
前記前扉が完全閉塞した状態で前記妨害設定操作手段が操作された場合には、前記空気圧変更装置が前記凹部の空気を吸引して前記凹部の内圧が外圧よりも低くなるよう形成され、
前記妨害解除操作手段が操作された場合には、前記空気圧変更装置が前記凹部に空気を吐出して前記本体と前記蓋体の間の吸着力が消滅もしくは軽減され、前記前扉の開放妨害状態が解除されることを特徴とする請求項１記載の遊技機。
【請求項４】
正面側が開口する筐体と、前記筐体の正面開口を閉塞可能かつ開閉自在な前扉とを少なくとも備える遊技機において、
前記前扉の裏面側及び前記筐体内部に、凹部を有する本体と、前記凹部の周囲に当接し前記凹部を閉塞可能な吸着面を有する蓋体と、前記蓋体により閉塞された前記凹部に空気を吐出可能でありかつ前記凹部内の空気を吸引可能な空気圧変更装置とを少なくとも備える不正開放妨害装置を設け、
前記空気圧変更装置を吐出作動させるための妨害設定操作手段と、前記空気圧変更装置を吸引作動させるための妨害解除操作手段とを設け、
前記本体及び前記蓋体は、前記前扉を閉じると前記凹部の周囲と前記蓋体の吸着面とが当接し、かつ前記前扉を完全に閉じたときに前記蓋体の吸着面が前記凹部の周囲を押圧して前記凹部を密閉可能とする位置に配置されるとともに、前記前扉が完全閉塞した状態で前記妨害解設定作手段が操作された場合には、前記空気圧変更装置が前記凹部に空気を吐出して前記凹部の内圧が外圧よりも高くなるよう形成され、
前記妨害解除操作手段が操作されずに前記前扉が開放操作された場合には、前記本体と前記蓋体にかかる圧迫力により、前記前扉の正常な開放作動が妨害され、
前記妨害解除操作手段が操作された場合には、前記空気圧変更装置が前記凹部から空気を吸引して前記本体と前記蓋体にかかる圧迫力が消滅もしくは軽減され、前記前扉の開放妨害状態が解除されることを特徴とする遊技機。
【請求項５】
前記凹部の内圧を測定する空気圧検知装置を設け、
前記妨害解除操作手段の操作信号及び前記空気圧検知装置の検知に基づいて、前記空気圧変更装置の作動を制御するための圧力制御手段を設け、
この圧力制御手段は、前記妨害解除操作手段の操作信号を受信せずに前記空気圧検知装置の測定値が変化した場合には、所定の信号を出力可能に形成されていることを特徴とする請求項１乃至４のいずれか１項記載の遊技機。
【発明の詳細な説明】
【技術分野】
【０００１】
この発明は、不正な扉開放を妨害する装置を備えた遊技機に関するものである。
【背景技術】
【０００２】
従来の遊技機、例えばスロットマシンにおいては、前扉を無理矢理こじ開けて、遊技機の設定変更を不正に変更したり、制御装置に不正なＲＯＭを取り付けたりする行為を防止するため、前面扉と筐体との継ぎ目を密着させて、密着させた部分の圧力変化を検出するようにした遊技機が考案されている（特許文献１参照）。これは、筐体と前扉との継ぎ目部分に空間部（溝部）を形成し、真空ポンプで空間部内の空気を抜き取り、内圧を圧力センサで監視させるものである。そして、異物の挿入などにより空間部の圧力が変化した場合には、警報装置が作動するというものである。
【特許文献１】特開２００４−２６１５０７号公報（段落００３０、図１４）
【発明の開示】
【発明が解決しようとする課題】
【０００３】
しかし、上記した従来の遊技機では、異物挿入や扉の不正開放を検知することはできるが、扉自体の開放を阻止したり妨害することはできなかった。
そこで、請求項１乃至３記載の発明は、正規の手順で扉を開放しないと扉の開放が物理的に困難になり、不正な扉開放を防止することができる遊技機を提供することを目的とする。また、請求項４記載の発明は、正規の手順で扉を開放しないと扉がいきなり開いて扉を開放操作する者の意に反して開放動作を妨害し、ひいては不正な扉開放を防止することができる遊技機を提供することを目的とする。そして、請求項５記載の発明は、上記目的に加え、不正な扉開放を検知可能にし、不正開放の防止をより効果的にすることを目的とする。
【課題を解決するための手段】
【０００４】
請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、正面側が開口する筐体(1)と、前記筐体(1)の正面開口(開口部11)を閉塞可能かつ開閉自在な前扉(3)とを少なくとも備える遊技機に係る。
【０００５】
本発明に係る遊技機は、遊技場に設置される例えばスロットマシンなどの遊技機に適している。
ここで、前記前扉(3)は、筐体(1)の開口上部(13)を塞ぐ上扉(30)と、筐体(1)の開口下部(14)を塞ぐ下扉(40)とに分割されていてもよい。また、遊技機としては、上記構成の他に、回転リール(20)を備えたリールユニット(2)などの遊技装置や、メダル等の遊技媒体を払い出すための払い出し装置（ホッパーユニット５）や、遊技機の作動を制御するための制御装置(6)を備えていてもよい。
また、本発明においては、前記前扉(3)の裏面側及び前記筐体(1)内部に、凹部（内部空間61、凹み63）を有する本体(30)と、前記凹部(61,63)の周囲に当接可能な吸着面(76)を有する蓋体(70)とを少なくとも備える不正開放妨害装置(50)を設けてある。前記本体(60)及び前記蓋体(70)は、前記前扉(3)を閉じると前記凹部(61,63)の周囲と前記吸着面(76)とが当接し、かつ前記前扉(3)を完全に閉じたときに前記吸着面(76)が前記凹部(61,63)の周囲を押圧して前記凹部(61,63)を密閉可能とする位置に配置されるとともに、前記前扉(3)が完全閉塞した場合に、前記凹部(61,63)の内圧が外圧よりも低くなるように形成されている。また、前記凹部(61,63)の内圧を外圧と均衡させるための妨害解除操作手段を設けてある。
【０００６】
そして、前記妨害解除操作手段が操作されずに前記前扉(3)が開放操作された場合には、前記本体(60)と前記蓋体(70)との吸着力により、前記前扉(3)の開放作動が妨害され、前記妨害解除操作手段の操作後に前記前扉(3)が開放操作された場合には、前記本体(60)と前記蓋体(70)の間の吸着力が消滅もしくは軽減され、前記前扉(3)の開放妨害状態が解除されることを特徴とする。
ここで、不正開放妨害装置(50)の本体(60)及び蓋体(70)は、前扉(3)を閉めたときにそれぞれ合致する位置に配置されており、本体(60)を筐体(1)に設け蓋体(70)を前扉(3)に設けたものとしてもよいし、逆に本体(60)を前扉(3)に設け蓋体(70)を筐体(1)に設けたものとしてもよい。また、前扉(3)が上扉(30)と下扉(40)とに分割されている場合には、不正開放妨害装置(50)を上扉(30)及び筐体(1)の開口上部(13)のみに設けてもよいし下扉(40)及び開口下部(14)のみに設けてもよい。あるいはその双方に設けてもよい。
【０００７】
前記本体(60)は、例えば内部空間(61)を有する箱形状のものや、板状の本体(60)の表面に吸着可能な吸盤(75)のようなものとすることができる。また前記蓋体(70)は、箱状の本体(60)の開口部を密閉可能なゴムパッキン(72)等を有する蓋のようなものや、表面が平滑面で形成された板状部材とすることができる。
前記吸着面(76)は、本体(60)の凹部(61,63)が形成された面に吸着可能な蓋体(70)の一面であって、前扉(3)を閉じたときに本体(60)の凹部(61,63)が形成された面と対向する面である。この場合、吸着面(76)が弾力性を有していて閉扉による押圧力により本体(60)に吸着するのであってもよいし、逆に本体(60)が弾力性を有していて閉扉による押圧力により吸着面(76)に吸着するのであってもよい。
【０００８】
ここで、「凹部(61,63)の内圧が外圧よりも低くなる」とは、すなわち凹部(61,63)内部の空気が何らかの作用で吸い出され（又は押し出され）ることを意味しており、凹部(61,63)の内部が真空に近くなることを含むものである。
またここで、「前扉(3)が完全閉塞した場合に、前記凹部(61,63)の内圧が外圧よりも低くなるように形成」されているとは、前扉(3)を完全閉塞する操作自体によって凹部(61,63)の内圧が外圧よりも低くなることと、前扉(3)を完全閉塞させた後で、凹部(61,63)の内部から空気を吸引することにより凹部(61,63)の内圧が外圧よりも低くなることの双方を含むものである。具体的には、前者の場合には、本体(60)に吸盤(62)を設け、蓋体(70)に平滑面で形成された吸着面(76)を設け、前扉(3)を勢いよく閉めることにより吸盤(62)が蓋体(70)に吸着し、凹部(凹み63)内の空気が外に押し出されて真空状態となるようにしたものとすることができる。後者の場合には、前扉(3)の閉塞後、所定の操作手段の操作信号もしくは扉の開閉を検知するセンサの検知信号に基づいて空気圧変更装置（コンプレッサー90）が作動し、蓋体(70)によって密閉された凹部(61)から空気を吸引するように形成したものとすることができる。
【０００９】
前記「妨害解除操作手段」は、何らかの操作を行うことにより、凹部(61,63)の内圧が外圧と均衡するように形成されたものである。具体的には、例えば本体(60)に吸盤(62)を設けた場合には、所定の操作（例えば鍵の回転等）によって吸盤(62)と蓋体(70)の吸着面(76)との間に異物を挿入して両者の間に空気を入れることができる機構とすることができ、空気圧変更装置を設けた場合には、その操作信号により空気圧変更装置が空気を吐出するスイッチとすることができる。また、妨害解除操作手段は、遊技機に設けられたスイッチに限られず、例えば遊技店のホールコンピュータに所定の入力装置から入力することにより妨害解除がされるようなものも含まれる。
【００１０】
なお、「吸着力が消滅もしくは軽減」とは、妨害解除操作手段によって凹部(61,63)の内圧が外圧と等しくなるか、ほぼ等しくなることを意味している。例えば空気圧変更装置で凹部(61)を加圧する場合に必ずしも外圧と同じ気圧になるまで空気を吐出させる必要はなく、本体(60)と蓋体(70)との間の吸着力が扉の開放の支障にならない程度に弱まれば十分である。
（作用）
本発明において、遊技機の前扉(3)が閉じている状態においては、本体(60)の凹部(61,63)は負圧状態となっているので、このまま扉を開こうとするとかなりの力を掛けなければならない。一方、所定の妨害解除操作手段を操作すれば、凹部(61,63)の内圧が外圧と均衡するので、通常の力で扉を開くことができる。このように、正規な操作手順で開扉操作すれば操作は容易だが、正規の手順をふまずに解錠開扉操作を行った場合には操作が妨害される。従って、妨害解除操作手段を、遊技店の店員など特定の者しか操作できないようにしておけば、不正に扉を開けようとする者は扉を開けるのに手間取り、ひいてはこのような行為を躊躇させることができる。
【００１１】
また、本発明において、開放されている遊技機の前扉(3)を閉める場合には、閉扉操作と同時に、あるいは閉扉操作を行った後で所定の操作（例えば空気圧変更装置を作動させるためのスイッチ操作）を行うことにより、蓋体(70)によって密閉状態にある本体(60)の凹部(61,63)の内部の空気が吸引又は押し出され、本体(60)と蓋体(70)が吸着状態となる。
（請求項２）
（特徴点）
請求項２記載の発明は、上記した請求項１記載の発明の特徴点に加え、次の点を特徴とする。
【００１２】
すなわち、請求項２記載の発明は、前記不正開放妨害装置(50)は、前記蓋体(70)により閉塞された前記凹部(61,63)に空気を吐出可能な空気圧変更装置（コンプレッサー90）をさらに備え、前記妨害解除操作手段は、前記空気圧変更装置(90)を吐出作動させるものであり、前記妨害解除操作手段が操作された場合には、前記空気圧変更装置(90)が前記凹部(61)に空気を吐出して前記本体(60)と前記蓋体(70)の間の吸着力が消滅もしくは軽減され、前記前扉の開放妨害状態が解除されることを特徴とする。
本発明は、妨害解除操作手段を限定したものである。本発明における妨害解除操作手段は、遊技機に設けられた所定の操作スイッチであってもよいし、遊技機以外の場所に設けられているものの前記空気圧変更装置(90)の作動を制御可能な入力手段であってもよい。
【００１３】
また、前記空気圧変更装置(90)は、前記凹部(61)に空気を吐出可能であれば、本体(60)側から凹部(61)に空気を供給するのであっても、蓋体(70)側から凹部(61)に空気を供給するのであってもよい。
（請求項３）
（特徴点）
請求項３記載の発明は、上記した請求項１記載の特徴点に加え、次の点を特徴とする。
すなわち、請求項３記載の発明は、前記不正開放妨害装置(50)は、前記蓋体(70)により閉塞された前記凹部(61)に空気を吐出可能でありかつ前記凹部(61)内の空気を吸引可能な空気圧変更装置(90)を備え、前記空気圧変更装置(90)を吸引作動させるための妨害設定操作手段をさらに備えている。また、前記妨害解除操作手段は、前記空気圧変更装置(90)を吐出作動させるものであり、前記前扉(3)が完全閉塞した状態で前記妨害設定操作手段が操作された場合には、前記空気圧変更装置(90)が前記凹部(61)の空気を吸引して前記凹部(61)の内圧が外圧よりも低くなるよう形成されている。そして、前記妨害解除操作手段が操作された場合には、前記空気圧変更装置(90)が前記凹部(61)に空気を吐出して前記本体(60)と前記蓋体(70)の間の吸着力が消滅もしくは軽減され、前記前扉(3)の開放妨害状態が解除されることを特徴とする。
【００１４】
本発明は、凹部(61,63)の内圧を外圧よりも低くするための手段を限定したものである。
ここで、前記「妨害設定操作手段」は、妨害解除操作手段と同様に、遊技機に設けられた所定の操作スイッチであってもよいし、遊技機以外の場所に設けられているものの前記空気圧変更装置(90)の作動を制御可能な入力手段であってもよい。さらに、単一の操作スイッチ又は入力手段が、妨害設定操作手段と妨害解除操作手段を兼ねているのであってもよい。
（請求項４）
（特徴点）
請求項４記載の発明は、次の点を特徴とする。
【００１５】
すなわち、請求項４記載の発明は、正面側が開口する筐体(1)と、前記筐体(1)の正面開口(11)を閉塞可能かつ開閉自在な前扉(3)とを少なくとも備える遊技機において、前記前扉(3)の裏面側及び前記筐体(1)内部に、凹部(61)を有する本体(60)と、前記凹部(61)の周囲に当接し前記凹部(61)を閉塞可能な吸着面(76)を有する蓋体(70)と、前記蓋体(70)により閉塞された前記凹部(61)に空気を吐出可能でありかつ前記凹部(61)内の空気を吸引可能な空気圧変更装置(90)とを少なくとも備える不正開放妨害装置(50)を設け、前記空気圧変更装置(90)を吐出作動させるための妨害設定操作手段と、前記空気圧変更装置(90)を吸引作動させるための妨害解除操作手段とを設けてある。
【００１６】
また、前記本体(60)及び前記蓋体(70)は、前記前扉(3)を閉じると前記凹部(61)の周囲と前記蓋体(70)の吸着面(76)とが当接し、かつ前記前扉(3)を完全に閉じたときに前記蓋体(70)の吸着面(76)が前記凹部(61)の周囲を押圧して前記凹部(61)を密閉可能とする位置に配置されるとともに、前記前扉(3)が完全閉塞した状態で前記妨害設定操作手段が操作された場合には、前記空気圧変更装置(90)が前記凹部(61)に空気を吐出して前記凹部(61)の内圧が外圧よりも高くなるよう形成されている。そして、前記妨害解除操作手段が操作されずに前記前扉(3)が開放操作された場合には、前記本体(60)と前記蓋体(70)にかかる圧迫力により、前記前扉(3)の正常な開放作動が妨害され、前記妨害解除操作手段が操作された場合には、前記空気圧変更装置(90)が前記凹部(61)から空気を吸引して前記本体(60)と前記蓋体(70)にかかる圧迫力が消滅もしくは軽減され、前記前扉(3)の開放妨害状態が解除されることを特徴とする。
【００１７】
本発明は、請求項１乃至３に係る発明とは逆に、蓋体(70)により密閉された本体(60)の凹部(61)を加圧状態にして、扉が勢いよく開くことによって、通常の開扉操作を阻害するようにしたものである。本発明における各構成要素は、請求項１乃至３において説明したものと同様である。
本発明によれば、前扉(3)が筐体(1)にロックされているときには、凹部(61)の内部の空気は圧縮されているものの、前扉(3)が開くことはない。そして、正規の手順を経ずに前扉(3)を解錠して開けようとすると、扉が勢いよく開き、周囲に目立つとともに不正開放を行った者を驚かせたり危険な目に遭わせたりすることができる。このような作動によって、不正な扉開放を躊躇させることができる。
【００１８】
（請求項５）
（特徴点）
請求項５記載の発明は、上記した請求項１乃至４のいずれか１項に記載の記載の特徴点に加え、次の点を特徴とする。
すなわち、請求項５記載の発明は、前記凹部(61)の内圧を測定する空気圧検知装置(80)を設け、前記妨害解除操作手段の操作信号及び前記空気圧検知装置(80)の検知に基づいて、前記空気圧変更装置(90)の作動を制御するための圧力制御手段(150)を設け、この圧力制御手段(150)は、前記妨害解除操作手段の操作信号を受信せずに前記空気圧検知装置(80)の測定値が変化した場合には、所定の信号を出力可能に形成されていることを特徴とする。
【００１９】
本発明は、凹部(61)の内圧を監視することにより、扉の不正開放や凹部(61)からの空気漏れを検知可能としたものである。
ここで、前記空気圧検知装置(80)には、凹部(61)の内圧を測定可能な圧力計の他、凹部(61)の内圧と外圧との差圧を測定可能な差圧計も含まれる。
前記圧力制御手段(150)は、空気圧変更装置(90)の作動を制御するための制御装置であって、遊技機の制御装置(6)に設けられていてもよいし、遊技機の外部、例えばホールコンピュータに設けられていてもよい。そして、空気圧検知装置(80)の測定値を監視し、妨害解除操作手段の操作信号を受信した場合には、空気圧変更装置(90)を作動させて、凹部(61)の内圧を外圧と均衡させる。すなわち、凹部(61)が負圧状態の場合には空気圧変更装置(90)を吐出作動させて凹部(61)に空気を供給し、凹部(61)が加圧状態の場合には空気圧変更装置(90)を吸引作動させて凹部(61)の空気を抜き取る。
【００２０】
またここで、「所定の信号」とは、空気圧が変化したことを知らせるための信号であって、これを受信した遊技機の制御装置(6)やホールコンピュータにおいて、所定のエラー処理や警報処理を行うことができる。あるいは、当該信号によって、空気圧変更装置(90)が吸引（又は吐出）作動するように形成することもできる。
（作用）
本発明における圧力制御手段(150)は、妨害解除操作手段の操作信号を受信せずに凹部(61)の内圧が変化した場合の取り扱いとして、以下の二つの処理を行わせることができる。
【００２１】
まず、妨害解除操作手段の操作信号を受信せずに凹部(61)の内圧と外圧が同等となった場合には、妨害解除操作手段が操作されずに開扉操作が行われたこと、すなわち不正もしくは不適切な扉開放であるので、不正を知らせるための信号を出力する。
また、空気圧検知装置(80)の測定値の監視中、内圧と外圧の差が予め定められた許容値の範囲内に無くなった場合には、本体(60)と蓋体(70)の間に隙間ができて空気が漏れていると想定されるので、空気漏れを知らせるための信号を出力する。この際、凹部(61)が負圧状態に設定されている場合には、空気圧変更装置(90)を例えば一定時間吸引作動させ、凹部(61)の空気を抜き取って負圧状態を維持させることができる。また、凹部(61)が加圧状態に設定されている場合には空気圧変更装置(90)を吐出作動させ、凹部(61)に空気を供給して加圧状態を維持させることができる。
【発明の効果】
【００２２】
本発明は、以上のように構成されているので、以下のような効果を奏する。
すなわち、請求項１乃至３記載の発明によれば、正規の手順で扉を開放しないと扉の開放が物理的に困難になり、不正な扉開放を防止することができる遊技機を提供することができる。また、請求項４記載の発明によれば、正規の手順で扉を開放しないと扉がいきなり開いて扉を開放操作する者の意に反して開放動作を妨害し、ひいては不正な扉開放を防止することができる遊技機を提供することができる。そして、請求項５記載の発明によれば、上記効果に加え、不正な扉開放を検知可能にし、不正開放の防止をより効果的にすることができる。
【発明を実施するための最良の形態】
【００２３】
本発明を実施するための最良の形態を、遊技機としてスロットマシンを例に、第一及び第二の実施の形態に分けて、図面に基づき説明する。
（第一の実施の形態）
（図面の説明）
図１乃至図９は、本発明の第一の実施の形態を示すものである。
図１及び図２はスロットマシンＳの斜視図、図３はスロットマシンＳの断面図、図４及び図５は本発明に係る不正開放妨害装置50の本体60と蓋体70を示す図、図６はスロットマシンＳの制御装置６の入力出力の概略を示すブロック図、図７乃至図９は不正開放妨害装置50の作動の概略を示す流れ図である。
【００２４】
本実施の形態におけるスロットマシンＳは、図２に示すように、大きく分けて、正面側に開口部11を有する筐体１と、筐体１に着脱自在に取り付けられるリールユニット２と、筐体１の開口部11を開閉可能に塞ぐ前扉３とから構成されており、さらにこの前扉３は、筐体１の開口上部13を開閉可能に塞ぐ上扉30、筐体１の開口下部14を開閉可能に塞ぐ下扉40とから構成されている。そして、本実施の形態においては、筐体１と下扉40に、閉扉時に密閉される容器の内圧を変化させて、扉を開けにくくしたりあるいは扉が勢いよく開くようにしたりすることにより、不正な扉の開放を防止するための不正開放妨害装置50が設けられている。
【００２５】
（筐体１）
筐体１は、底板15及び側板16及び天板17及び裏板18（図３参照）からなる正面側に開口する箱であり、図２に示すように、高さ方向略中央部には、二つの側板16の間に水平方向に中板12が設けられている。この中板12の下側である開口下部14には、底板15の上に電源装置４、ホッパーユニット５及びオーバーフロータンク７が載置されている。また、側板16の正面左側には、前扉３を係合させ、回転自在に支持するためのヒンジが設けられている。
ここで、電源装置４は、特に図示しないが電源基板が内装されていると共に、正面側にはスロットマシンＳの主電源を入れるための電源スイッチ等が設けられている。前記ホッパーユニット５は、メダルを貯留するとともに払い出すためのものであり、オーバーフロータンク７は、ホッパーユニット５のメダル貯留部から溢れたメダルを受け入れるためのものである。
【００２６】
そして、前記オーバーフロータンク７の上方には、取り付け板19を介して、不正開放妨害装置50の本体60が設置されているが、この詳細については後述する。
（リールユニット２）
リールユニット２は、スロットマシンＳの主たる遊技装置であって、図２に示すように、支持枠21に固定された３個のリールモータ（図示せず）と、このリールモータの駆動軸に軸着された３個の回転リール20を有している。また、リールユニット２の支持枠21には、制御装置６が取り付けられている。前記回転リール20は、円筒形のリールドラムの表面に複数の図柄を表示したリールテープを貼付したものである。また、前記制御装置６は、スロットマシンＳの遊技及び演出を制御するためのものであるが、これについては後述する。
【００２７】
リールユニット２は、筐体１の中板12の上に乗せ、開口上部13内部に収納固定されるものである。そして、スロットマシンＳの機種交換の際には、制御装置６とともに筐体１から取り出して、新たな機種に対応したリールユニット２と交換することができる。
（上扉30）
上扉30は、筐体１の側板16に回動自在かつ着脱自在に取り付けられた板状の扉であり、図示しないロック機構により筐体１に対してロック可能に形成されている。そして、上扉30は、図２に示すように、略中央部に前記回転リール20の図柄を正面側から見ることができる図柄表示窓32を有する上パネル31を備え、上パネル31の周囲には、報知などを行うためのランプ33が形成されている。上パネル31には、前記図柄表示窓32の下方に、７セグメント表示器や液晶表示装置を用いて遊技に関する数字その他を表示するための表示部が設けられている。さらに、図柄表示窓32の上方には、液晶表示装置やＣＲＴ、ドットマトリックスなどを用いて遊技に付随する演出を行うための画像表示部34が設けられている。そして、上扉30の裏面上部には、図２に示すように、音声を出力するためのスピーカ35が設けられている。
【００２８】
なお、上扉30をリールユニット２の支持枠21に回動自在に取り付けてもよい。この場合には、リールユニット２を筐体１に収納して固定することにより、開口上部13が上扉30によって開閉自在となる。
（下扉40）
下扉40は、筐体１の開口下部14を塞ぐための、上扉30よりも幅厚の扉であり、筐体１の側板16に回動自在に固定されているとともに、図示しないロック機構により筐体１に対してロック可能に形成されているものである。
下扉40の上部は、図１に示すように、スロットマシンを作動させるための操作部41となっており、下扉40の上面は、閉扉時においては、上扉30よりも前側に突出するようになっている。ここで、前記操作部41としては、遊技メダルを投入するためのメダル投入口42、貯留メダル数を減じてメダル投入に代えるためのベットスイッチ41A、貯留した投入メダルを払い出すための精算スイッチ41D、回転リール20の回転を開始させるためのスタートスイッチ41B、回転リール20の回転を停止させるためのストップスイッチ41Cが設けられている。また、下扉40の下部には、メダル払い出し口45と、このメダル払い出し口45から払い出されるメダルを受け入れ貯留可能な下皿43が設けられており、前記操作部41と下皿43の間には、遊技内容その他の表示をするための下パネルが取り付けられている。
【００２９】
さらに、図２に示すように、下扉40の裏面側には、前記メダル投入口42から投入されたメダルを誘導しながらメダルの正偽を判断するためのメダルセレクター44が設けられている。また、メダルセレクター44の下方には、取り付け板46を介して、不正開放妨害装置50の蓋体70が配置されている。蓋体70は、下扉40を閉じたとき、筐体１の開口下部14に配置された本体60の正面開口60A（図４参照）を閉塞可能な位置に設置され、下扉40をロックすることにより、本体60を密閉することができるようになっているものである。
ここで、下扉40のロック機構は、下扉40を閉めることにより自動的にロックされ、前記操作部41の正面右側に設けられた鍵穴40Aに所定の鍵を差し込んで、解錠方向に回すことによりロック解除されるようになっている。前記上扉30のロック機構も下扉40のロック機構とほぼ同様の構成を有しているが、上扉30のロック機構は、下扉40を開放してロック解除操作を行うようになっている。すなわち、上扉30は、下扉40を開放しないと開くことができないものである。
【００３０】
ところで、前記鍵穴40Aの奥側には、鍵孔40Aに差し込んだ鍵を解錠方向と反対方向に回すことによりスイッチＯＮになるリセットスイッチ47が設けられている。リセットスイッチ47は、遮光センサや接触センサとすることができる。具体的には、特に図示しないが、鍵の回転によりシリンダー錠の先端に設けられているカム板が回転し、これに伴う遮光片の位置移動、あるいは接点の接触によって、センサがＯＮ状態となるように形成されているものである。本実施の形態においては、リセットスイッチ47は、以下に述べる不正開放妨害装置50の内圧を変化させるための妨害設定操作手段及び妨害解除操作手段として機能するものである。
【００３１】
（不正開放妨害装置50）
次に、不正開放妨害装置50について詳述する。
不正開放妨害装置50は、図３に示すように、筐体１のオーバーフロータンク７の上方に配置され正面側に開口する本体60と、下扉40に配置され本体60の正面開口60Aを塞ぐ蓋体70と、前記本体60の空気圧を測定するための空気圧検知装置80と、前記本体60に空気を注入し又は吸引するためのコンプレッサー90とから構成されている。
本体60は、取り付け板19によって筐体１の側板16に固定された円筒型の容器であり、背面にはコンプレッサー90に連結されるホース91が取り付けられている。
【００３２】
蓋体70は、図２及び図４に示すように、凸部73を有する円盤状の平板部71に環状のゴムパッキン72を貼付したものであり、図４（Ｂ）に示すように、平板部71の直径は本体60の外径とほぼ同じかそれよりも大きく、凸部73の直径は本体60の内径よりも小さくなるよう形成されている。そして、凸部73を本体60の正面開口60Aに嵌め込ませると、本体60の正面端部60bとゴムパッキン72の表面である吸着面76が当接するようになっている。
そして、蓋体70は、下扉40を閉めることにより前記凸部73が本体60の正面開口60Aに嵌って正面開口60Aを塞ぎ、下扉40を完全に閉めてロック状態にすることにより、本体60の内部空間61を密閉することができるようになっている。すなわち、下扉40が完全に閉まる少し手前で本体60の正面端部60bとゴムパッキン72の吸着面76が当接し、下扉40が完全に閉じられたときには正面端部60bが吸着面76に圧着して、本体60と蓋体70の間の隙間を塞ぐものである。
【００３３】
空気圧検知装置80は、本体60の内部空間61の空気圧と、外部（すなわち筐体１内）の空気圧との差を測定可能な差圧計であって、空気圧検知装置80の計測値は制御装置６に出力されるようになっている。
コンプレッサー90は、空気を吐出及び吸引可能な空気圧変更装置であって、中板12の裏面に固定されている。コンプレッサー90は、本体60にホース91で連結されており、本体60を蓋体70が密閉している状態、すなわち下扉40が閉扉ロックされている状態で作動することにより、本体60の内部空間61の空気圧を変化させることができるものである。具体的には、吐出作動により内部空間61の空気圧を外圧よりも高く（加圧）し、吸引作動により内部空間61の空気圧を外圧よりも低く（負圧に）することができる。
【００３４】
コンプレッサー90は、前述したリセットスイッチ47の操作及び前記空気圧検知装置80の測定値に基づいて、制御装置６の制御により作動するものであるが、この詳細については後述する。
なお、上記蓋体70の構成としては、図５（Ａ）に示すように、ゴムパッキン72の代わりに、軸方向に伸縮自在に形成された蛇腹リング74を設けてもよい。蛇腹リング74は、例えば合成樹脂などにより形成されており、下扉40のロック時には、図５（Ｂ）に示すように、吸着面73が本体60の正面端部60bに押されて全体が圧縮されるとともに、本体60と蓋体70の間の隙間を塞ぎ、内部空間61を密閉することができる。
【００３５】
（制御装置６）
続いて、制御装置６の概略を説明する。
制御装置６は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、図６に示すように、遊技制御装置6A及び演出制御装置6Bを構成する。
ここで、遊技制御装置6Aは、いわゆるメイン基板と呼ばれている制御基板であり、スタートスイッチ41B及びストップスイッチ41Cの操作により、回転リール20の回転及び停止を制御するためのものである。また、演出制御装置6Bは、いわゆるサブ基板と呼ばれている制御基板であり、ランプ33やスピーカ35等の演出表示装置を制御するためのものである。
【００３６】
上記制御装置６の入力段には、図６に示すように、投入スイッチ44A、ベットスイッチ41A、スタートスイッチ41B、ストップスイッチ41C、精算スイッチ41D、空気圧検知装置80、リセットスイッチ47の７つのパーツが接続されている。なお、入力段としては、上記したパーツに限定されるものではない。
投入スイッチ44Aは、図１に示すように、メダルセレクター44に内蔵されたスイッチであって、メダル投入口42から投入された遊技メダルを検知するためのものである。
ベットスイッチ41Aは、図１に示すように、下扉40の操作部41の上面に設けられたスイッチであって、クレジットをメダル投入に代えるためのものである。ここで、クレジットとは、次遊技以降に使用するためのメダルをあらかじめ遊技機内部に貯留しておくことであり、スロットマシンＳは、メダル投入口42から投入され投入スイッチ44Aを通過した遊技メダル、又は入賞により払い出される遊技メダルを、最大５０枚まで、遊技機内部に貯留する扱いができるように形成されている。
【００３７】
スタートスイッチ41Bは、図１に示すように、操作部41の正面に設けられたレバーであって、遊技メダルの投入若しくはベットスイッチ41Aの投入を条件に、または、「再遊技（Replay）」時には前遊技から所定時間経過を条件に、リールユニット60の駆動を開始させるためのものである。ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
ストップスイッチ41Cは、リールユニット２の駆動を停止させるためのものである。具体的には、ストップスイッチ41Cは、図１に示すように、各回転リール20に対応した三個の押圧ボタンから構成され、各回転リール20の下方に１個ずつ配置されているものである。そして、回転リール20に対応したストップスイッチ41Cの操作により、当該対応した回転リール20が回転を停止するように設定されているものである。
【００３８】
精算スイッチ41Dは、図１に示すように、操作部41の上面左端に設けられたスイッチであって、クレジットメダルを払い戻すためのものである。
空気圧検知装置80、リセットスイッチ47については前述したとおりである。
前記制御装置６の出力段には、図６に示すように、リールユニット２、ホッパーユニット５、コンプレッサー90、ランプ33、画像表示部34、スピーカ35の６つのパーツが接続されている。これらの各パーツの構成は前述したとおりである。なお、出力段としては、上記したパーツに限定されるものではない。
（遊技制御装置6A）
遊技制御装置6Aは、図６に示すように、遊技実行制御手段100、当選抽選手段110、リール制御手段120、入賞判定手段130、ホッパー制御手段140、圧力制御手段150、エラー制御手段160の７つの手段を備えている。遊技制御装置6Aとしては、上記以外の手段を備えていてもかまわない。
【００３９】
（遊技実行制御手段100）
遊技実行制御手段100は、通常行われる通常遊技と、特定の当選又は抽選結果に基づいて開始される特別遊技を行わせるためのものである。
前記特別遊技とは、通常遊技よりも大きな利益を遊技者に付与可能な遊技であって、ビッグボーナスゲーム（ＢＢゲーム）やレギュラーボーナスゲーム（ＲＢゲーム）を含むものである。
（当選抽選手段110）
当選抽選手段110は、予め定めた抽選確率に基づいて当選か否かの当選判定の抽選を行うものである。そして、当選抽選手段110による抽選の結果、所定の当選役に当選した場合に当選フラグが成立し、この当選フラグ成立中に、回転リール20の停止図柄の組み合わせが予め定められた当選図柄と一致したことを条件に入賞し、遊技者にメダルの払い出しや、特別遊技等の利益が付与されるように設定されている。
【００４０】
具体的には、当選抽選手段110は、スタートスイッチ41Bの操作タイミングで、乱数抽出手段が乱数発生手段の発生した乱数を読み取り、この数値と、乱数発生手段が発生する数値を全領域として各当選項目の当選領域を規定した当選判定テーブルとを比較して、抽出カウントデータが属する当選領域に対応する当選を決定する。
なお、乱数発生手段は、一定範囲の数字、例えば、０〜１６３８３の範囲の数字を、１秒間に７００万回程度順次繰り返すようにしたカウンタとすることができ、上記のようにしてカウント抽出手段が読み取るループカウンタの数値は、あたかも乱数のような分布をとるものとなる。このように、結果として乱数のような分布を示す数字が得られるものも、「乱数発生手段」に含まれるものとする。
【００４１】
（リール制御手段120）
リール制御手段120は、スタートスイッチ41Bの操作信号に基づいて回転リール20を回転させると共に、特に図示しないがリール回転検知センサの検知信号に基づいて図柄の現在位置を認識しつつ、当選抽選手段110の抽選結果及びストップスイッチ41Cの操作タイミングに基づいて、回転リール20の停止を制御するためのものである。
具体的には、リール制御手段120は、回転リール20を停止させる際、当選抽選手段110の抽選結果がハズレの場合には、３個の回転リール20の図柄が如何なる入賞の態様にも揃わないように蹴飛ばし制御を行い、抽選結果が所定の当選役に当選の場合には、３個の回転リール20の図柄が極力当該当選に係る入賞の態様となるように蹴飛ばし及び引き込み制御を行う。これらの制御は、ストップスイッチ41Cの操作信号受信とストップ信号出力のタイミングをずらして、回転リール20が停止するまでの時間を遅らせることにより行われる。
【００４２】
（入賞判定手段130）
入賞判定手段130は、入賞したかどうかの判定を行うとともに、入賞の場合には所定の入賞処理を行わせるためのものである。
すなわち、入賞判定手段130は、当選判定の抽選結果が当選の場合に、ストップスイッチ41Cの操作で３個の回転リール20の当選図柄を入賞の態様に停止させることができたかどうかを判断し、当選図柄を入賞の態様に停止させることができた場合には入賞を決定する。そして、入賞がメダル払い出しを伴う払い出し入賞である場合には、ホッパーユニット５に遊技メダルの払い出し信号を出力し、リプレイなどの非払い出し入賞である場合には、メダル投入又はベットスイッチ41Aの操作なしで次遊技を開始可能な状態にする。またボーナスゲーム入賞などの特別入賞の場合には、遊技実行制御手段100に特別遊技を開始させるための信号を出力する。
【００４３】
（ホッパー制御手段140）
ホッパー制御手段140は、入賞判定手段130からのメダル払い出し信号や、精算スイッチ41Dの操作信号に基づいて、ホッパーユニット５を作動させるためのものである。
（圧力制御手段150）
圧力制御手段150は、空気圧検知装置80から出力される測定値データに基づいて、不正開放妨害装置50の本体60の空気圧を監視するとともに、当該監視に係る測定値及びリセットスイッチ47の操作信号に基づいて、コンプレッサー90の作動を制御するためのものである。
【００４４】
ここで、圧力制御手段150は、下扉40の閉扉ロックによって蓋体70によって密閉される本体60の空気圧を、コンプレッサー90を吸引作動させて外圧よりも低くすることもできるし、逆にコンプレッサー90を吐出作動させて外圧よりも高くすることもできる。本体60の内圧が外圧よりも低いと、本体60と蓋体70との間には負圧状態による吸着力が働くので、下扉40を開けるのに通常以上の力を要する。一方、本体60の内圧が外圧よりも高いと、本体60と蓋体70との間には圧縮空気による反発力が働くので、下扉40のロックが外れると本体60内部の空気が蓋体70を押し出し、下扉40が勢いよく開く。前者の場合には、下扉40を開け難くすることができ、後者の場合には、下扉40がいきなり開いて周囲に目立たせることができ、いずれの場合にも、不正に下扉40を開放しようとすると何らかの妨害を受けることになる。
【００４５】
具体的には、圧力制御手段150は、特に図示しないが、信号入出力手段、タイマー及び圧力データを記憶した記憶手段を備えており、初期状態（本体60の空気圧の監視作動を行っていない状態）においてリセットスイッチ47の操作信号を受信することにより、コンプレッサー90を吸引（あるいは吐出）作動させるための作動指令信号を出力するとともに、空気圧検知装置80による測定値データの監視を開始する。なお、このときに下扉40がロックされていないと、いくらコンプレッサー90を吸引（あるいは吐出）作動させても、本体60が蓋体70で密閉されていないため空気圧検知装置80は差圧を検出できない。このような場合には、一定時間が経過すると、空気漏れエラーとして扱うようになっている。具体的には、コンプレッサー90の作動を停止させるとともに、所定のエラー表示を行わせる。エラー表示は、特に図示しないが、例えばスロットマシンＳの所定の場所（例えば上パネル31や下扉40の下パネル）に設けられた空気漏れ報知ランプを点灯させるものとすることができる。あるいは、演出制御装置6Bにエラー信号を出力し、画像表示部34やスピーカ35を用いてエラー表示を行わせるようにしてもよい。
【００４６】
そして、本体60の空気圧の監視作動中に、内圧と外圧との差が予め定められた数値の範囲を超えた場合、すなわち僅かな空気漏れによって時間とともに本体60の空気圧が変化した場合には、例えば所定時間、コンプレッサー90を吸引（あるいは吐出）作動させることにより、本体60内の空気圧を所定の圧力に保つ。また、本体60の空気圧の監視作動中に、リセットスイッチ47が操作された場には、例えば所定時間コンプレッサー90を吐出（あるいは吸引）作動させることにより、本体60内の空気圧を外圧と同じにする（あるいは差を少なくする）とともに、空気圧の監視作動を終了する。
なお、本体60内の空気圧を外圧と同等又は近似させることにより、下扉40を開く際の障害（開け難さ又は勢いよく開くこと）を除去又は軽減することができる。これは、遊技店の店員などが正規に扉を開ける場合には、なるべく支障がないようにするための配慮である。
【００４７】
さらに、本体60の空気圧の監視作動中に、リセットスイッチ47の操作信号を受信することなく内圧と外圧との差が同じになった場合（すなわち鍵を用いないで扉を開けた場合）には、後述するエラー制御手段160に開扉検知信号を出力するとともに、空気圧の監視を終了する。そして、前記開扉検知信号に基づいて、以下に述べるエラー制御手段160が所定のエラー処理を行わせることとなる。
ここで、圧力制御手段150は、必ずしも遊技制御装置6Aに設けなくてもよい。例えば、サブ基板である演出制御装置6Bに設けてもよいものである。あるいは、遊技制御装置6A、演出制御装置6Bとは別個の独立した制御基板として形成し、例えば中板12の下側に設置してもよいものである。
【００４８】
（エラー制御手段160）
エラー制御手段160は、所定の出力信号に基づいて、スロットマシンＳの内部装置の不具合やスロットマシンＳに対して行われている不正行為を監視し、不具合や不正が発覚した場合には所定のエラー処理を行わせるためのものである。
具体的には、エラー制御手段160は、例えばメダルセレクター44に設けられた投入センサ44Aの検知信号を監視して、異常（例えば検知部がメダルを検出したままになっている・・・メダル詰まり）や不正（例えば検知スピードや複数の検知部の検知順番が正常でない・・・いわゆるクレマン君使用やメダル吊り下げゴトが想定される）を検知したり、ホッパーユニットに設けられた払い出しセンサ（図示せず）の検知信号を監視して、異常（メダル詰まり、ホッパーエンプティ）や不正（例えばメダルのセンサ通過時間が異様に長い・・・センサの部分に異物が挿入されていることが想定される）を検知することができるようになっている。
【００４９】
これらの異常又は不正が検知された場合には、それらの種類に応じて、所定の表示部（例えば画像表示部34など）にエラーが発生していることを知らせる表示を行わせる。
そしてさらに、本実施の形態におけるエラー制御手段160は、前記圧力制御手段150から、開扉検知信号を入力した場合には、不正開放エラー処理を行うことができるように形成されている。不正開放エラー処理としては、上記した警告表示に加えて、例えばスタートスイッチ30の操作信号を無効としたり、メダル投入口14から投入されたメダルをキャンセルしたり、ベットスイッチ16の操作信号を無効にしたりすることにより、遊技の進行を中断させるものとすると好適である。
【００５０】
（演出制御装置6B）
演出制御装置6Bは、遊技制御装置6Aからの出力信号、スタートスイッチ41B等の操作手段からの操作信号に基づいて、ランプ33、画像表示部34、スピーカ34に、遊技に付随する演出の実行を行わせるためのものである。また、前記したように、所定のエラー信号に基づいて、エラー表示又は警告表示を行わせることもできるものである。
（スロットマシン10の作動）
上記構成を有するスロットマシンＳは、メダルの投入若しくはベットスイッチ41Aの押下を条件に、または、「再遊技（Replay）」時には前遊技から所定時間経過を条件に、スタートスイッチ41Bを操作すると、リールユニット２が駆動し、３個の回転リール20が回転を開始する。
【００５１】
その後、ストップスイッチ41Cの１個を操作すると、当該対応する回転リール20の回転が停止する。
そして、ストップスイッチ41Cを３個全て操作し終わると、３個の回転リール20の回転が全て停止する。このとき、入賞有効ライン上に予め設定された図柄が停止すると、ホッパーユニット５を介して所定枚数のメダルが払い出される。ここで、入賞有効ラインとは、入賞するために有効な図柄配列を表すものであって、図柄表示窓32から視認可能な３個の回転リール20の三列の図柄をそれぞれ結ぶラインとして設定されている。具体的には、センターライン、上段ライン、下段ラインと、二つの斜めラインが設けられている。
【００５２】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選に対応した当選フラグが成立する。そして、抽選結果が特別当選である場合に、特別当選フラグが成立し、この特別当選フラグ成立中に、回転リール20の停止図柄の組み合わせが、予め定められた所定の特別当選図柄（例えば、入賞有効ライン上に「７」が３個揃うもの）と一致したことを条件に入賞し、遊技者に有利な特別遊技を行わせるように形成されている。一方、抽選により特別当選フラグが成立したが、回転リール20の停止図柄の組み合わせが特別当選図柄と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
【００５３】
また、いずれかの当選フラグが成立中に、対応する当選図柄を入賞有効ライン上に揃えることができるか否かは、回転リール20の回転速度が一定の場合、ストップスイッチ41Cのタイミングによるものである。具体的には、ストップスイッチ41Cを操作した後、１９０ｍｓ以内に回転リール20が停止するように設定されているため、ストップスイッチ4Cを操作した後、そのまま停止させるか、或いは１９０ｍｓ以内に停止可能な回転リール20の円周上の引き込み可能図柄、例えば停止図柄から連続する４個の引き込み可能図柄の中に、対応する当選図柄が含まれているような場合には、停止するまでの時間を遅らせて、回転リール20は入賞有効ライン上にその当選図柄を引き込んで停止する。一方、かかる４個の引き込み可能図柄の中に、対応する当選図柄が含まれていないような場合には、入賞有効ライン上にその当選図柄を引き込んで停止することができない。
【００５４】
一方、通常遊技において、例えば「７」等の図柄が入賞有効ライン上に３個揃うと、ＢＢゲームが開始される。ＢＢゲームに移行すると、通常遊技と同様に最大３枚のメダルの投入によって開始され、３つの回転リールの回転を各々停止させた際に、入賞有効ライン上に当選図柄が揃っているか否かによって、メダルの払い出しが行われるものである。
したがって、ＢＢゲーム中では、通常遊技と同様に小役を含めた抽選が毎回行われるものである。ただ、このＢＢゲーム中にＲＢゲームに移行するための特定当選図柄が入賞有効ライン上に揃った場合には、その後ＲＢゲームに移行するものである。
ＲＢゲームに移行すると、メダルが１枚投入となり、回転リール20の所定の図柄が図柄表示窓32のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
【００５５】
なお、ＢＢゲーム中は、ＲＢゲームが終了した後は、また前述したような通常遊技と同様な抽選及び制御が行われ、ＲＢゲームと通常遊技とが交互に繰り返されるものである。そして、ＢＢゲームは、一定枚数のメダル払い出し終了により終了する。
（圧力制御手段150による不正開放妨害装置50の作動）
本実施の形態において、スロットマシンＳの前扉３を開く場合の手順としては、まず、解錠操作を行う前に、リセットスイッチ47をＯＮにする。この操作に基づいてコンプレッサー90が作動し、不正開放妨害装置50の本体60の内圧は外圧と同じになる。そこで、下扉40の解錠操作を行って前扉３を開放する。一方、開放した扉を閉める際には、下扉40をロックした後で、再度リセットスイッチ47をＯＮにする。この操作に基づいてコンプレッサー90が作動し、不正開放妨害装置50の本体60の内圧は予め定められた空気圧に調整される。
【００５６】
次に、不正開放妨害装置50の作動について、図７乃至図９のフローに基づき説明する。
まず、図７のフローで、初期状態においては、圧力制御手段150は本体60の内圧の監視処理を行っておらず、コンプレッサー90は作動していない。そして、ステップ１００において、リセットスイッチ47がＯＮになったかどうかが判断される。リセットスイッチ47がＯＮにならない場合にはステップ１００に戻り、リセットスイッチ47がＯＮになった場合には、次のステップ１０１に進む。
ステップ１０１において、本体60の減圧又は加圧処理が行われる。なお、このステップは、下扉40の開閉に関わりなく行われる。そして、次のステップ１０２に進む。
【００５７】
ステップ１０２において、空気圧検知装置80の測定値データに基づく圧力の監視処理が行われる。そして、次のステップ１０３に進む。
ステップ１０３において、リセットスイッチ47がＯＮになったかどうかが判断される。リセットスイッチ47がＯＮにならない場合にはステップ１０２に戻る。すなわち、リセットスイッチ47が操作されるまで、圧力の監視が行われる。一方、リセットスイッチ47がＯＮになった場合には、次のステップ１０４に進む。
ステップ１０４において、例えば所定時間、コンプレッサー90を吐出作動又は吸引作動させる。具体的には、本体60の内圧を外圧より低くしている場合には吐出作動させ、本体60の内圧を外圧より高くしている場合には吸引作動させる。これにより、本体60の内圧が外圧と同等又はほぼ同等となり、本体60と蓋体70の間に働いていた吸引力又は反発力が相殺又は軽減され、扉を普通に開けることができる。この場合、厳密に内圧と外圧を等しくさせる必要はなく、下扉40を開放するのに支障がない程度の差圧となればよい。そして、次のステップ１０５に進む。
【００５８】
ステップ１０５において、圧力の監視を終了する。このステップは、下扉40のロックの有無に関わりなく行われる。そして、圧力制御手段150による不正開放妨害装置50の作動を終了する。
前記ステップ１０２の圧力の監視処理について、図８のフローに基づき説明する。
図８のステップ２００において、内圧と外圧が同じになったかが判断される。すなわち、差圧がゼロになったか否かの判断がなされる。内圧と外圧が同じでない場合には、次のステップ２０１に進む。
ステップ２０１において、内圧と外圧の差が予め定められた許容範囲内におさまっているか否かが判断される。すなわち、差圧がプラスマイナスα（αは許容数値）であるか否かの判断がなされる。内圧と外圧の差が許容範囲内にある場合には、ステップ２００に戻る。一方、内圧と外圧の差が許容範囲を超えている場合には、ステップ２０２に進む。
【００５９】
ステップ２０２において、減圧又は加圧処理が行われる。そして、圧力の監視処理を終了する。
前記ステップ２００において、内圧と外圧が同じ場合には、ステップ２０３に進む。
ステップ２０３において、不正開放エラー処理が行われる。すなわち、圧力制御手段150は開扉検知信号を出力するとともに、空気圧の監視を終了し、開扉検知信号を受信したエラー制御手段160が警告表示や遊技の中断等所定の処理を行わせる。そして、圧力の監視処理を終了する。
前記ステップ２０２及び図７のステップ１０１における減圧又は加圧処理について、図９のフローに基づき説明する。
【００６０】
まず、図９のステップ３００において、コンプレッサー90を吸引作動又は吐出作動させる。具体的には、本体60の内圧を外圧より低くする場合には吸引作動させ、本体60の内圧を外圧より高くする場合には吐出作動させる。そして、次のステップ３０１に進む。
ステップ３０１において、内圧と外圧の差が予め定められた一定値に達したか否かが判断される。一定値に達しない場合には、次のステップ３０２に進む。
ステップ３０２において、一定時間が経過したか否かが判断される。一定時間が経過しない場合には、ステップ３００に戻る。すなわち、下扉40がロックされていないために本体60と蓋体70とが圧着されておらず、内圧と外圧の差が予め定められた一定値に達しないときでも、一定時間はコンプレッサー90が作動することとなる。一方、一定時間が経過した場合には、次のステップ３０３に進む。
【００６１】
ステップ３０３において、空気漏れエラー処理が行われる。すなわち、コンプレッサー90の作動を停止させるとともに、所定の空気漏れ報知を行わせる。これにより、例えば図７のステップ１００のリセットスイッチ47の操作を、下扉40をロックしないまま行ったような場合には、空気漏れエラーとして扱われる。そして、減圧又は加圧処理を終了する。
前記ステップ３０１において、内圧と外圧の差が予め定められた一定値に達した場合には、ステップ３０４に進む。
ステップ３０４において、コンプレッサー90の作動を停止させる。そして、減圧又は加圧処理を終了する。
【００６２】
なお、図７のステップ１０４のコンプレッサー90の作動についても、図９と同様に内圧と外圧との差が無くなった場合に作動停止させるように形成してもよい。
このように、本実施の形態によれば、下扉40をロックする（本実施の形態では前扉３をロックすることと同義である）ことにより、本体60が蓋体70によって密閉されるように形成するとともに、密閉された本体60の内部空間61の空気を吸引し、又は内部空間61に空気を供給することにより、内部空間61の空気圧を外圧と異ならせ、これによって下扉40（前扉３）を開け難くしたり勢いよく開くようにしたりすることができる。
そして、正規の鍵を用いてリセットスイッチ47を操作することにより、コンプレッサー90が作動して内部空間61の空気圧を外圧と同じにさせるようにしてあるので、扉を開ける際には、密閉された本体60の内圧を正常に戻すことができ、正規の開扉操作には支障がない。一方、鍵を用いないで開扉する場合には、通常よりも力を加えないと扉が開かなかったり、逆に勢いよく扉が開いて頭に扉がぶつかるなどして、開扉操作に支障を来すばかりでなく、内圧の急変に基づく警告表示によって周囲にも目立つので、このような不正行為を躊躇させることができる。
【００６３】
なお、上記した実施の形態では、本体60の内圧変化をもって扉の開閉を検知する構成としてあるため、下扉40に開閉検知センサは特に設けていないが、下扉40に開閉検知センサを設け、このセンサが開扉状態から閉扉状態となるのを検知した場合に、コンプレッサー90を吸引又は吐出作動させるようにしてもよい。この場合でも、扉を開く場合には、妨害解除操作手段としての所定の操作手段（例えばリセットスイッチ47）の操作に基づいて本体60の内圧を通常に戻してから、ロック解除して開扉操作を行うようにする。
また、コンプレッサー90を作動させるための操作手段としては、リセットスイッチ47に限られないが、前扉３の外部から操作可能であり、かつ特定の者（店員など）しか操作不能であることが望ましい。例えば、所定の鍵により蓋を開けると露出して操作可能になるスイッチを設けてもよい。
【００６４】
さらに、上記した実施の形態では、リセットスイッチ47の操作によって扉開放の妨害を設定することも解除することもできるように形成してあったが、前扉３を閉じたときに操作する妨害設定操作手段と、前扉３が閉じているときに操作する妨害解除操作手段とを別々に設けてもよい。
（第一の実施の形態の変形例）
図１０は、第一の実施の形態の変形例を示すものであって、スロットマシンＳの制御装置６の入力出力の概略を示すブロック図である。
上記した第一の実施の形態においては、コンプレッサー90の作動制御を行うための圧力制御手段150を、スロットマシンＳの制御装置６（スロットマシンＳの内部）に設けてある。このため、個々のスロットマシンＳの内部で制御が完結し、コンプレッサー90を作動及び作動停止させるのに個々のスロットマシンＳについてのみの操作で足りるという利点がある。しかし、不正に鍵を入手した者がリセットスイッチ47の操作を行えば、簡単に本体60の内圧を正常値にすることができてしまうという点、制御装置６のメモリ容量が圧迫されるという点に問題があった。
【００６５】
そこで、この変形例においては、圧力制御手段150を遊技場の遊技機を集中管理するホールコンピュータＨＣに設け、各スロットマシンＳに設置されたコンプレッサー90の作動を制御可能に形成した。
（制御装置６及びスロットマシンＳの遊技場における電気配線）
スロットマシンＳの制御装置６の構成は、第一の実施の形態とほぼ同様であるが、図１０に示すように、圧力制御手段150は備えていない。また、空気圧検知装置80及びコンプレッサー90は、制御装置６の入力段、出力段には直接接続されておらず、スロットマシンＳの内部の所定の場所に設けられた外部入出力制御基板８に接続されている。なお、本変形例におけるエラー制御手段160は、圧力制御手段150から信号を受信することはないので、不正開放エラー処理を行うことはない。
【００６６】
ここで、外部入出力制御基板８は、いわゆる集中端子板といわれているものであって、スロットマシンＳの制御装置６とホールコンピュータＨＣとを接続するための中継基板である。そして、遊技制御装置6Aやその他の装置から出力される遊技に関する諸信号、例えばメダルの投入枚数、払い出し枚数、入賞回数などの信号をホールコンピュータＨＣに出力する。遊技店においては、ホールコンピュータＨＣに蓄積された各スロットマシンＳの遊技情報に基づき、その日の売り上げや遊技状況を把握し、ホール管理を行うことができるようになっているものである。
そして、本変形例では、ホールコンピュータＨＣに圧力制御手段150を設け、空気圧検知装置80の測定値データは、外部入出力制御基板８を介して圧力制御手段150に出力され、コンプレッサー90を作動又は作動停止させるための指令信号は、外部入出力制御基板８を介してコンプレッサー90に出力されるようになっている。
【００６７】
さらに、ホールコンピュータＨＣには、外部入力端末（キーボードなど）が接続されており、この外部入力端末から圧力制御手段150に所定の指示、具体的にはスロットマシンＳの前扉３を開閉する際のコンプレッサー90に対する作動指令を与えることができるように形成されている。すなわち、本実施の形態では、外部入力端末が妨害解除操作手段として機能するものであって、圧力制御手段150は、外部入力端末からの作動指令を受信することにより、コンプレッサー90を吸引（あるいは吐出）作動させるための作動指令信号を出力するものである。
（圧力制御手段150による不正開放妨害装置50の作動）
本変形例において、スロットマシンＳの前扉３を開く場合の手順としては、まず、解錠操作を行う前に、開扉しようとするスロットマシンＳについて、外部入力端末を用いて作動指令を与える。この指令に基づいてコンプレッサー90が作動し、不正開放妨害装置50の本体60の内圧は外圧と同じになる。そこで、下扉40の解錠操作を行って前扉３を開放する。一方、開放した扉を閉める際には、下扉40をロックした後で、再度外部入力端末を用いて作動指令を与える。この操作に基づいてコンプレッサー90が作動し、不正開放妨害装置50の本体60の内圧は予め定められた空気圧に調整される。
【００６８】
不正開放妨害装置50の作動は、第一の実施の形態を示す図７乃至図９のフローとほぼ同様である。ただ、図７のステップ１００及びステップ１０３の「リセットスイッチＯＮ？」の判断は、「作動指令入力あり？」に置き換わる。なお、図８のステップ２０３の不正開放エラー処理としては、スロットマシンＳの制御装置６にエラー表示の指令信号を直接出力することはできないので、例えばスロットマシンＳが設置されている島設備に設けてある警報装置（ランプや回転警告灯など）を作動させることにより、エラーを知らせるようにすればよい。図９のステップ３０３における空気漏れエラー処理についても同様である。
【００６９】
このように、本変形例によれば、空気圧検知装置80の測定値をホールコンピュータＨＣで監視し、ホールコンピュータＨＣからの出力信号でコンプレッサー90が作動するようにしてあるので、例えば不正に鍵を入手した者が扉を開けようとしても、不正開放妨害装置50による開放妨害状態を解除する（本体60の内圧を正常値に戻す）ことができない。従って、よりセキュリティの向上を図ることができるとともに、例えば閉店後や開店前に、遊技場内のスロットマシンＳの全てについて、一斉に不正開放妨害装置50を作動させる（本体60の内圧を負圧又は加圧にする）ことができ、不正開放妨害装置50の設定操作が極めて容易になる。
【００７０】
（第二の実施の形態）
図１１は、本発明の第二の実施の形態を示すものであって、不正開放妨害装置50を示す断面図である。
上記した第一の実施の形態及びその変形例においては、下扉40を閉めることにより不正開放妨害装置50の本体60が蓋体70で密閉され、その後コンプレッサー90を作動させて本体60の内圧を変化させるように形成してあったが、第二の実施の形態では、下扉40を閉めるとその操作自体により本体60と蓋体70が吸着するように形成したものである。
なお、第二の実施の形態におけるスロットマシンＳの基本的構成は、第一の実施の形態において説明したものと同様であるため説明を省略し、本実施の形態の特徴点のみ述べる。
【００７１】
（不正開放妨害装置50）
本実施の形態における不正開放妨害装置50'は、図１１（Ａ）に示すように、吸盤62を有する本体60と、円盤型の蓋体70と、コンプレッサー90とから構成されている。
本体60は、吸盤62の凹み63を背面側に向けて、取り付け板46に固定されている。蓋体70は、前記吸盤62の直径よりもやや大きい外径を有する円盤部材75であり、円板部75Aの裏面に凸部75が形成されている。また、円板部75Aの表面は平滑な吸着面76であり、円板部75Aに吸盤62が吸着しやすいようになっている。そして、蓋体70は、取り付け板19に前記凸部75Bを嵌め込むことにより、吸着面76を正面側に向けて筐体１の内部に固定される。
【００７２】
そして、本体60の吸盤62の吸盤面がある程度のスピード（下扉40を閉めてロックする程度の力加減）で吸着面76に衝突することにより、吸盤62の凹み63の内部の空気が押し出されて、図１１（Ｂ）に示すように、吸盤62が吸着面76に吸着するものである。
本実施の形態におけるコンプレッサー90は、空気を吐出する装置であって、蓋体70の凸部75Aの背面から吸着面76に連通するホース91を備えている。なお、コンプレッサー90の非作動時には、図示しない内部の逆止弁により空気の流れが生じないようになっているので、円板部75Aに吸盤62が吸着する際にホース91から空気が逆流することはない。
（圧力制御手段150による不正開放妨害装置50'の作動）
本実施の形態においては、圧力制御手段150は凹み63の内圧監視は行わず、下扉40を開放するときのみ、コンプレッサー90を吐出作動させる。作動の契機としては、第一の実施の形態のようにリセットスイッチ47の操作に基づくものとしてもよいし、第二の実施の形態のようにホールコンピュータＨＣに外部入力端末から作動指令を入力するようにしてもよい。コンプレッサー90から吸盤62の凹み63に空気が送られることにより、吸盤62と円板部材75の吸着面76との間に空気が入り、吸盤62が剥がれやすくなる。
【００７３】
また本実施の形態においては、下扉40を勢いよく閉めることにより、下扉40がロックされるとともに、閉じる勢いで吸着面76に吸盤62が吸着する。この状態において、下扉40を開けるためには、吸着面76から吸盤62が剥がれる程度の大きな力を加える必要があり、開扉操作はかなり困難にものになる。しかし、上記したように、正規の手順を踏めば、比較的容易に扉を開けることができるものである。
このように、本実施の形態によれば、比較的簡易な構成により、扉の開放を妨害して、不正な扉開放を防止することができるものである。
ここで、吸盤62を用いる場合には、不正開放妨害装置50をさらに簡易な構成とすることができる。すなわち、コンプレッサー90を設けずに、妨害解除操作手段として、手動の吸盤剥がし機構を設けるものである。
【００７４】
具体的には、特に図示しないが、鍵穴40Aの奥に設けられているシリンダー錠の先端に、鍵を解錠方向と逆方向に回転させると位置移動（揺動、スライドなど）する薄板状又は尖端を有する棒状の剥がし部材を設けておく。そして、鍵の操作により、この剥がし部材が吸盤62と吸着面76との接合部に割り込むように形成する。その状態で開扉操作を行えば、吸盤62と吸着面76の間に空気が入って凹み63の内圧は外圧と均衡し、吸盤62が容易に円板部材75から剥がれる。従って、開扉操作も容易に行うことができる。このように形成しても、鍵を用いて前扉３を開く場合には不正開放妨害装置50の開放妨害を解除でき、鍵を用いないで不正に扉を開けようとすると開扉操作が困難になるという効果を得ることができる。
【００７５】
なお、蓋体70にコンプレッサー90を接続する場合には、パイプ91の配管やコンプレッサー90の収納スペースの関係上、蓋体70及びコンプレッサー90を筐体１に設けるようにしてあったが、上記した例のようにコンプレッサー90を設けない場合には、蓋体70を前扉３側に配置し、本体60を筐体１側に配置してもよい。また、図１１において、吸盤62が直接取り付け部材19に吸着するようにしてもよい。この場合には、取り付け部材19が蓋体70として機能することとなる。すなわち、「蓋体」とは、本体60と密着し凹部61,63を閉塞可能ならば、キャップやカバーの形状をしている必要はないのである。
本発明は、前扉３が上扉30と下扉40に分割されていないスロットマシンにも利用できる。この場合には、本体60及び蓋体70は、筐体１の開口上部13に配置してもよい。また、本発明は、筐体と前扉を有する遊技機であれば、スロットマシン以外の遊技機にも応用できる。
【図面の簡単な説明】
【００７６】
【図１】本発明の実施の形態であって、スロットマシンの外観斜視図である。
【図２】本発明の実施の形態であって、前扉を開いたスロットマシンの斜視図である。
【図３】本発明の第一の実施の形態であって、スロットマシンの縦断面図である。
【図４】本発明の第一の実施の形態であって、不正開放妨害装置の本体と蓋体を示す斜視図及び断面図である。
【図５】本発明の第一の実施の形態であって、本体と蓋体の他の例を示す斜視図及び断面図である。
【図６】本発明の第一の実施の形態であって、スロットマシンの入力、出力及び制御を示すブロック図である。
【図７】本発明の第一の実施の形態であって、不正開放妨害装置の作動を示す流れ図である。
【図８】本発明の第一の実施の形態であって、不正開放妨害装置の作動のうち圧力監視処理を示す流れ図である。
【図９】本発明の第一の実施の形態であって、不正開放妨害装置の作動のうち減圧（加圧）処理を示す流れ図である。
【図１０】本発明の第一の実施の形態の変形例であって、スロットマシンの入力、出力及び制御を示すブロック図である。
【図１１】本発明の第二の実施の形態であって、不正開放妨害装置を示す図である。
【符号の説明】
【００７７】
Ｓ  スロットマシン
１  筐体                            ２  リールユニット
３  前扉                            ４  電源装置
５  ホッパーユニット                ６  制御装置
７  オーバーフロータンク            ８  外部入出力制御基板
11  開口部                          12  中板
13  開口上部                        14  開口下部
15  底板                            16  側板
17  天板                            18  背板
19  取り付け板
20  回転リール                      21  支持枠
30  上扉                            31  上パネル
32  図柄表示窓                      33  飾り部
34  画像表示部                      35  スピーカ
40  下扉                            41  操作部
41A  ベットスイッチ                 41B  スタートスイッチ
41C  ストップスイッチ               41D  精算スイッチ
42  メダル投入口                    43  下パネル
44  メダルセレクター                45  メダル払い出し口
46  取り付け板
47  リセットスイッチ（妨害設定操作手段、妨害解除操作手段）
50  不正開放妨害装置
60  本体                           60A  正面開口
60b  正面端部                        61  内部空間（凹部）
62  吸盤                            63  凹み（凹部）
70  蓋体                            71  平板部
72  ゴムパッキン                    73  凸部
74  蛇腹リング                      75  円板部材
75A  円板部                         75B  凸部
76  吸着面                          80  空気圧検知装置
90  コンプレッサー（空気圧変更装置）91  ホース
【図１】
2009095582.tif 000003
【図２】
2009095582.tif 000004
【図３】
2009095582.tif 000005
【図４】
2009095582.tif 000006
【図５】
2009095582.tif 000007
【図６】
2009095582.tif 000008
【図７】
2009095582.tif 000009
【図８】
2009095582.tif 000010
【図９】
2009095582.tif 000011
【図１０】
2009095582.tif 000012
【図１１】
2009095582.tif 000013